(57)【要約】【課題】グレーに近い低彩度の色を背景に人物を撮影した画像からグレーに近い低彩度の背景色域と無彩色に近い肌色の色域とを簡易な処理で高速に分離し、色変換処理を適正に行うことが可能な画像処理方法及び画像処理システムを提供する。【解決手段】本発明に係る画像処理システムによれば、撮像部により取得された画像データ内における肌色の色域を含む赤黄色系の色相の彩度全体を強調し、次いで赤黄色系の色相のグレーに近い低彩度の背景色域を彩度圧縮することにより、グレーに近い低彩度の背景色域と肌色の色域を分離し、肌色の色域とグレーに近い低彩度の背景色域のそれぞれに異なる色変換処理を施す。【選択図】図８
2006109310.tif 000002
【特許請求の範囲】
【請求項１】
グレーに近い低彩度の色を背景に撮影された人物画像データに画像処理を施す画像処理方法において、
前記人物画像データ内における肌色の色域を含む赤黄色系の色相の彩度を強調し、次いで前記グレーに近い低彩度の背景色域を彩度圧縮することにより、前記グレーに近い低彩度の背景色域と前記肌色の色域を分離することを特徴とする画像処理方法。
【請求項２】
前記彩度の強調は、前記人物画像データ内における肌色の色域を含む赤黄色系の色相の彩度全体に対して行うことを特徴とする請求項１に記載の画像処理方法。
【請求項３】
前記彩度の強調は、前記人物画像データ内における肌色の色域を含む赤黄色系の色相のうち、前記グレーに近い低彩度の背景色域及び肌色の色域に対して行うことを特徴とする請求項１に記載の画像処理方法。
【請求項４】
前記彩度が強調された人物画像データの前記肌色の色域を含む赤黄色系の色相において、前記グレーに近い低彩度の背景色域を彩度圧縮した後に色変換処理を施すことを特徴とする請求項１〜３の何れか一項に記載の画像処理方法。
【請求項５】
前記彩度が強調された人物画像データの前記肌色の色域を含む赤黄色系の色相において、前記グレーに近い低彩度の背景色域を彩度圧縮した後、前記肌色の色域と前記グレーに近い低彩度の背景色域のそれぞれに異なる色変換処理を施すことを特徴とする請求項１〜３の何れか一項に記載の画像処理方法。
【請求項６】
前記彩度全体が強調された人物画像データの前記肌色の色域を含む赤黄色系の色相において、前記グレーに近い低彩度の背景色域を彩度圧縮した後、前記肌色の色域より高彩度の色域の彩度圧縮を含む色変換処理を行うことを特徴とする請求項２に記載の画像処理方法。
【請求項７】
グレーに近い低彩度の色を背景に人物を撮影し人物画像データを取得する撮影装置と、前記撮影装置により撮影された人物画像データに画像処理を施す画像処理装置とを備えた画像処理システムにおいて、
前記撮影装置は、グレーに近い低彩度の色を背景に人物を撮影し人物画像データを取得する撮像部と、前記撮像部により取得された人物画像データに画像処理を施す画像処理部を有し、前記画像処理部は、前記人物画像データ内における肌色の色域を含む赤黄色系の色相の彩度全体を強調し、
前記画像処理装置は、前記撮影装置により彩度強調された人物画像データにおける、前記グレーに近い低彩度の背景色域を彩度圧縮することを特徴とする画像処理システム。
【発明の詳細な説明】
【技術分野】
【０００１】
本発明は、グレーに近い低彩度の色を背景に人物を撮影して得られた画像データに色変換処理等の画像処理を施す画像処理方法及び画像処理システムに関する。
【背景技術】
【０００２】
従来、証明写真等、グレーを背景色として人物を撮影した画像に対して、背景色のグレーはムラや色付きがないように、また、人物の肌色は色のりの良い色再現となるように色変換処理が施されている。
【０００３】
しかしながら、背景色のグレーは、実際には照明や被写体の色の影響を受ける。そのため、カメラ等の撮影装置の彩度再現が低いと、背景色と、肌色の無彩色に近い領域の色域が接近しすぎて画像データ上での区別がつきにくくなり、肌色に対して行っているつもりの色変換処理が背景に対してもかかってしまい、背景色がおかしくなるという問題がある。反対に、背景色を調整すると、肌色がその調整の影響を受けてしまい、所望の色再現ができなくなってしまうという問題がある。
【０００４】
そこで、一般的に、画像を解析して肌色等の色成分からなる色領域を抽出し、肌色領域とそれ以外の領域に分離して色変換処理を施す方法が採られている。カラー画像から所望の色領域を分離する方法としては、例えば、特許文献１に記載されている。
【特許文献１】特開平８−２２１５６７号公報
【発明の開示】
【発明が解決しようとする課題】
【０００５】
しかしながら、画像を解析して肌色領域を抽出する処理は大変複雑で時間がかかるという問題があった。
【０００６】
本発明の課題は、グレーに近い低彩度の色を背景に人物を撮影した画像からグレーに近い低彩度の背景色域と無彩色に近い肌色の色域とを簡易な処理で高速に分離し、色変換処理を適正に行うことが可能な画像処理方法及び画像処理システムを提供することである。
【課題を解決するための手段】
【０００７】
上記課題を解決するため、請求項１に記載の発明は、
グレーに近い低彩度の色を背景に撮影された人物画像データに画像処理を施す画像処理方法において、
前記人物画像データ内における肌色の色域を含む赤黄色系の色相の彩度を強調し、次いで前記グレーに近い低彩度の背景色域を彩度圧縮することにより、前記グレーに近い低彩度の背景色域と前記肌色の色域を分離することを特徴としている。
【０００８】
請求項２に記載の発明は、請求項１に記載の発明において、
前記彩度の強調は、前記人物画像データ内における肌色の色域を含む赤黄色系の色相の彩度全体に対して行うことを特徴としている。
【０００９】
請求項３に記載の発明は、請求項１に記載の発明において、
前記彩度の強調は、前記人物画像データ内における肌色の色域を含む赤黄色系の色相のうち、前記グレーに近い低彩度の背景色域及び肌色の色域に対して行うことを特徴としている。
【００１０】
請求項４に記載の発明は、請求項１〜３の何れか一項に記載の発明において、
前記彩度が強調された人物画像データの前記肌色の色域を含む赤黄色系の色相において、前記グレーに近い低彩度の背景色域を彩度圧縮した後に色変換処理を施すことを特徴としている。
【００１１】
請求項５に記載の発明は、請求項１〜３の何れか一項に記載の発明において、
前記彩度が強調された人物画像データの前記肌色の色域を含む赤黄色系の色相において、前記グレーに近い低彩度の背景色域を彩度圧縮した後、前記肌色の色域と前記グレーに近い低彩度の背景色域のそれぞれに異なる色変換処理を施すことを特徴としている。
【００１２】
請求項６に記載の発明は、請求項２に記載の発明において、
前記彩度全体が強調された人物画像データの前記肌色の色域を含む赤黄色系の色相において、前記グレーに近い低彩度の背景色域を彩度圧縮した後、前記肌色の色域より高彩度の色域の彩度圧縮を含む色変換処理を行うことを特徴としている。
【００１３】
請求項７に記載の発明は、
グレーに近い低彩度の色を背景に人物を撮影し人物画像データを取得する撮影装置と、前記撮影装置により撮影された人物画像データに画像処理を施す画像処理装置とを備えた画像処理システムにおいて、
前記撮影装置は、グレーに近い低彩度の色を背景に人物を撮影し人物画像データを取得する撮像部と、前記撮像部により取得された人物画像データに画像処理を施す画像処理部を有し、前記画像処理部は、前記人物画像データ内における肌色の色域を含む赤黄色系の色相の彩度全体を強調し、
前記画像処理装置は、前記撮影装置により彩度強調された人物画像データにおける、前記グレーに近い低彩度の背景色域を彩度圧縮することを特徴としている。
【発明の効果】
【００１４】
請求項１に記載の発明によれば、人物画像データ内における肌色の色域を含む赤黄色系の色相の彩度を強調し、次いでグレーに近い低彩度の背景色域を彩度圧縮することにより、グレーに近い低彩度の背景色域と肌色の色域を分離する。従って、グレーに近い低彩度の色を背景に人物を撮影した画像からグレーに近い低彩度の背景色域と無彩色に近い肌色の色域とを、画像解析等の複雑な処理を行わずに、簡易な処理で高速に分離することができるので、各色域に適正な色変換処理を施すことが可能となる。
【００１５】
請求項２に記載の発明によれば、人物画像データ内における肌色の色域を含む赤黄色系の色相の彩度全体を強調し、次いでグレーに近い低彩度の背景色域を彩度圧縮することにより、グレーに近い低彩度の背景色域と肌色の色域を分離する。従って、グレーに近い低彩度の色を背景に人物を撮影した画像からグレーに近い低彩度の背景色域と無彩色に近い肌色の色域とを、画像解析等の複雑な処理を行わずに、簡易な処理で高速に分離することができるので、各色域に適正な色変換処理を施すことが可能となる。
【００１６】
請求項３に記載の発明によれば、人物画像データ内における肌色の色域を含む赤黄色系の色相のうち、グレーに近い低彩度の背景色域及び肌色の色域の彩度を強調し、次いでグレーに近い低彩度の背景色域を彩度圧縮することにより、グレーに近い低彩度の背景色域と肌色の色域を分離する。従って、グレーに近い低彩度の色を背景に人物を撮影した画像からグレーに近い低彩度の背景色域と無彩色に近い肌色の色域とを、画像解析等の複雑な処理を行わずに、簡易な処理で高速に分離することができるので、各色域に適正な色変換処理を施すことが可能となる。
【００１７】
請求項４に記載の発明によれば、彩度が強調された人物画像データの肌色の色域を含む赤黄色系の色相において、グレーに近い低彩度の背景色域を彩度圧縮した後、色変換処理を施す。従って、人物を撮影した画像からグレーに近い低彩度の背景色域と無彩色に近い肌色の色域とを分離してから色変換処理を施すので、背景色域と顔画像の肌色のそれぞれが他方の色域に対する色変換の影響を受けることがなくなり、各色域に対する色変換を適正に行うことが可能となる。
【００１８】
請求項５に記載の発明によれば、彩度が強調された人物画像データの肌色の色域を含む赤黄色系の色相において、グレーに近い低彩度の背景色域を彩度圧縮した後、肌色の色域とグレーに近い低彩度の背景色域のそれぞれに異なる色変換処理を施す。従って、人物を撮影した画像からグレーに近い低彩度の背景色域と無彩色に近い肌色の色域とを分離してからそれぞれの色域に異なる色変換処理を施すので、背景色域と顔画像の肌色のそれぞれが他方の色域に対する色変換の影響を受けることがなく、肌色の色域とグレーに近い低彩度の背景色域のそれぞれに異なる色変換処理を施しても適正な結果を得ることができる。
【００１９】
請求項６に記載の発明によれば、彩度全体が強調された人物画像データの肌色の色域を含む赤黄色系の色相において、グレーに近い低彩度の背景色域を彩度圧縮した後、肌色の色域より高彩度の色域の彩度圧縮を含む色変換処理を施す。従って、人物を撮影した画像からグレーに近い低彩度の背景色域と無彩色に近い肌色の色域とを分離してから各色域に異なる画像処理を施すので、背景色域と顔画像の肌色のそれぞれが他方の色域に対する色変換の影響を受けることがなくなり、各色域に対する色変換を適正に行うことが可能となる。また、彩度が強調されている、肌色色域より高彩度の色域を彩度圧縮するので、他の色相とのバランスをとることができる。
【００２０】
請求項７に記載の発明によれば、グレーに近い低彩度の色を背景に人物を撮影し人物画像データを取得する撮影装置と、撮影装置により撮影された人物画像データに画像処理を施す画像処理装置とを備えた画像処理システムにおいて、撮影装置内の画像処理部で人物画像データ内における肌色の色域を含む赤黄色系の色相の彩度全体を強調するので、撮影により取得された彩度の情報を確保することができ、背景色域と肌色色域との分離を正確に行うことが可能となる。
【発明を実施するための最良の形態】
【００２１】
以下、図を参照して本発明の実施の形態を詳細に説明する。ただし、発明の範囲は、図示例に限定されない。
【００２２】
まず、構成を説明する。
図１に、本実施の形態における画像処理システム１００の全体構成を示す。画像処理システム１００は、グレーに近い低彩度の色を背景に人物の顔画像を撮影してプリントするシステムであり、例えば、証明写真の撮影及びプリント等に利用可能である。画像処理システム１００は、図１に示すように、カメラ１、制御装置２、プリンタ３を備えて構成されており、カメラ１と制御装置２、制御装置２とプリンタ３がそれぞれ接続されている。カメラ１は、制御装置２からの指示に基づき撮影を行い、得られた人物画像データ（以下、単に画像データと称する）に画像処理を施して制御装置２に出力する。制御装置２は、カメラ１の撮影を制御するとともに、画像処理装置として、カメラ１から入力される画像データに各種画像処理を施してプリンタ３へ出力する。プリンタ３は、制御装置２から入力される画像データに基づき記録媒体上に画像を形成して印刷出力する。
【００２３】
以下、カメラ１の内部構成について説明する。
図２に、カメラ１の要部構成例を示す。カメラ１は、図２に示すように、ＣＰＵ１１、ＲＡＭ１２、ＲＯＭ１３、撮像部１４、Ｉ／Ｆ１５等を備えて構成され、各部はバス１６により接続されている。
【００２４】
ＣＰＵ（Central Processing Unit ）１１は、ＲＯＭ１３に記憶されているシステムプログラムを読み出し、ＲＡＭ１２内に形成されたワークエリアに展開し、該システムプログラムに従ってカメラ１各部を制御する。また、ＣＰＵ１１は、ＲＯＭ１３に記憶されているカメラ側画像処理プログラム１３１を始めとする各種処理プログラムを読み出してワークエリアに展開し、図４に示すカメラ側画像処理を始めとする各種処理を実行する。
【００２５】
ＲＡＭ(Random Access Memory）１２は、ＣＰＵ１１によって実行される各種プログラム及びこれらプログラムに係るデータを一時的に記憶するワークエリアを形成する。
【００２６】
ＲＯＭ（Read Only Memory）１３は、半導体等の不揮発性メモリで構成されており、カメラ１に対応するシステムプログラム、及び該システムプログラム上で実行可能な各種処理プログラム及びこれらのプログラムで処理されたデータ等を記憶する。
【００２７】
本実施の形態において、ＲＯＭ１３は、カメラ側画像処理プログラム１３１と、３次元ルックアップテーブル（３Ｄ−ＬＵＴ）１３２（詳細後述）を記憶している。
【００２８】
撮像部１４は、光学レンズ、ＣＣＤ（Charge Coupled Diode）やＣＭＯＳ（Complementary Metal Oxide Semiconductor）等の撮像素子、Ａ／Ｄ変換器等により構成され、光学レンズを介して入力される画像を撮像素子で電気信号に変換し、更にＡ／Ｄ変換してデジタルの画像データを取得し、ＣＰＵ１１に出力する。
【００２９】
Ｉ／Ｆ１５は、カメラ１と制御装置２とを接続し、データの入出力を行うためのインターフェースである。
【００３０】
以下、制御装置２の内部構成について説明する。
図３に、制御装置２の要部構成例を示す。制御装置２は、図３に示すように、ＣＰＵ２１、ＲＡＭ２２、ＲＯＭ２３、入力部２４、表示部２５、カメラ用Ｉ／Ｆ２６、プリンタ用Ｉ／Ｆ２７等を備えて構成され、各部はバス２８により接続されている。
【００３１】
ＣＰＵ２１は、ＲＯＭ２３に記憶されているシステムプログラムを読み出し、ＲＡＭ２２内に形成されたワークエリアに展開し、該システムプログラムに従って制御装置２各部を制御する。また、ＣＰＵ２１は、ＲＯＭ２３に記憶されている制御装置側画像処理プログラム２３１を始めとする各種処理プログラムを読み出してワークエリアに展開し、図５に示す制御装置側画像処理を始めとする各種処理を実行する。
【００３２】
ＲＡＭ２２は、ＣＰＵ２１によって実行される各種プログラム及びこれらプログラムに係るデータを一時的に記憶するワークエリアを形成する。
【００３３】
ＲＯＭ２３は、ＨＤＤ（Hard Disc）、半導体等の不揮発性メモリで構成されており、制御装置２に対応するシステムプログラム、及び該システムプログラム上で実行可能な各種プログラム及びこれらのプログラムで処理されたデータ等を記憶する。
【００３４】
本実施の形態において、ＲＯＭ２３は、制御装置側画像処理プログラム２３１と、３次元ルックアップテーブル（３Ｄ−ＬＵＴ）２３２（詳細後述）を記憶している。
【００３５】
入力部２４は、表示部２５と一体に構成されるタッチパネルや、撮影開始を指示するための撮影ＳＷ等の各種機能キーを備えて構成され、操作されたキーに対応する操作信号をＣＰＵ２１に出力する。
【００３６】
表示部２５は、ＬＣＤ（Liquid Crystal Display）等を備えて構成され、ＣＰＵ２１からの制御信号に従って、各種操作画面や、カメラ１により撮影された画像等を表示する。
【００３７】
カメラ用Ｉ／Ｆ２６は、カメラ１とデータの入出力を行うためのインターフェースである。
プリンタ用Ｉ／Ｆ２７は、プリンタ３とデータの入出力を行うためのインターフェースである。
【００３８】
プリンタ３は、制御装置２から入力された画像データに基づいて記録媒体上に画像を形成してプリント出力を行う。プリンタ３のプリント方式としては、色材を昇華、転移させて画像を形成する昇華型転写方式が適用されていることとして説明するが、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３９】
次に、本実施の形態の動作について説明する。
図４、５に、画像処理システム１００において、撮影された画像データに施される画像処理を示す。図４は、カメラ１において施されるカメラ側画像処理を示すフローチャートである。図５は、制御装置側で施される制御装置側画像処理を示すフローチャートである。
【００４０】
以下、図４を参照してカメラ側画像処理について説明する。当該処理は、撮像部１４により画像データが取得され、ＣＰＵ１１にその画像データが入力された際に実行される処理であり、カメラ１のＣＰＵ１１とＲＯＭ１３に記憶されているカメラ側画像処理プログラム１３１との協働によるソフトウエア処理により実現される。当該処理により、カメラ１における画像処理部が実現される。
【００４１】
まず、撮像部１４により取得された画像データ（Ｒ、Ｇ、Ｂの画像データ）にゲイン調整、ホワイトバランス調整が施される（ステップＳ１）。次いで、ＲＯＭ１３に記憶されている３Ｄ−ＬＵＴ１３２が参照され、ステップＳ１で調整の施された画像データに対して、３Ｄ−ＬＵＴ１３２による変換が施され（ステップＳ２）、カメラ側画像処理は終了する。カメラ側画像処理が施された画像データは、Ｉ／Ｆ１５を介して制御装置２へ出力される。
【００４２】
図４のステップＳ２で使用される３Ｄ−ＬＵＴ１３２は、変換前のＲ、Ｇ、Ｂ値の組み合わせに対応する変換後のＲ、Ｇ、Ｂ値の組み合わせを記憶したルックアップテーブルであり、ＣＰＵ１１は、ステップＳ２において、３Ｄ−ＬＵＴ１３２から変換前の画像データのＲ、Ｇ、Ｂ値に対応する変換後のＲ、Ｇ、Ｂ値の組み合わせを読み出して変換を行う。
【００４３】
３Ｄ−ＬＵＴ１３２は、入力の画像データに対して、下記のプロセス（１）→（２）の順で変換を行った結果を出力するように設計されたものである。
（１）肌色の色域を含む赤黄色系の色相の彩度全体を強調
（２）制御装置２における画像処理やプリンタ３における画像記録において処理可能な、規格化された所定形式のデータフォーマット（例えば、ＪＰＥＧ等）の情報量（ビット数）へのデータの圧縮
【００４４】
即ち、３Ｄ−ＬＵＴ１３２を用いて変換することにより、画像データの赤黄色系の色相の彩度全体が強調された後、制御装置２における画像処理やプリンタ３における画像記録において処理可能な、規格化された所定形式のデータフォーマットの情報量へのデータの圧縮が行われる。ここでは、例えば、１０ビットから８ビットにデータ圧縮されるものとする。
【００４５】
なお、３Ｄ−ＬＵＴ１３２を、画像データの赤黄色系の色相彩度全体を強調するための３Ｄ−ＬＵＴ１３２ａと、彩度全体を強調した画像データに対してデータ圧縮を施すための３Ｄ−ＬＵＴ１３２ｂとの２つのＬＵＴよりなる構成とし、画像データに対して３Ｄ−ＬＵＴ１３２ａを用いて彩度強調した後、３Ｄ−ＬＵＴ１３２ｂを用いてデータ圧縮するようにしてもよい。
【００４６】
カメラ１から制御装置２に画像データが入力されると、制御装置側画像処理が実行される。
以下、図５を参照して制御装置側画像処理について説明する。当該処理は、制御装置２のＣＰＵ２１とＲＯＭ２３に記憶されている制御装置側画像処理プログラム２３１との協働によるソフトウエア処理により実現される処理である。
【００４７】
まず、カメラ１から入力された画像データにシャープネス調整、ノイズ除去等の画像処理が施される（ステップＳ１１）。次いで、ＲＯＭ２３に記憶されている３Ｄ−ＬＵＴ２３２が読み出され、画像処理された画像データに対して、３Ｄ−ＬＵＴ２３２による変換が施され（ステップＳ１２）、変換された画像データに対して出力補正処理（例えば、ガンマ補正処理、画素数変更等）が施されて（ステップＳ１３）、制御装置側画像処理は終了する。制御装置側画像処理による処理済みの画像データは、プリンタ用Ｉ／Ｆ２７を介してプリンタ３へ出力される。
【００４８】
図５のステップＳ１２で使用される３Ｄ−ＬＵＴ２３２は、変換前のＲ、Ｇ、Ｂ値の組み合わせに対応する変換後のＲ、Ｇ、Ｂ値の組み合わせを記憶したルックアップテーブルであり、ＣＰＵ２１は、ステップＳ１２において、３Ｄ−ＬＵＴ２３２から変換前の画像データのＲ、Ｇ、Ｂ値に対応する変換後のＲ、Ｇ、Ｂ値の組み合わせを読み出して変換を行う。
【００４９】
３Ｄ−ＬＵＴ２３２は、シャープネス強調、ノイズ除去等の画像処理が施された画像データに対して、下記のプロセス（１）→（２）の順で変換を行った結果を出力するように設計されたものである。
（１）肌色の色域を含む赤黄色系の色相における、グレーに近い低彩度の背景色域の彩度圧縮
（２）肌色の色域より高彩度域を彩度圧縮するとともに背景のグレーの色域はムラや色付きがないように、肌色の色域は色のりの良い色再現となるように調整する色変換処理
【００５０】
即ち、３Ｄ−ＬＵＴ２３２を用いて画像データを変換することにより、画像データの赤黄色系の色相におけるグレーに近い低彩度の背景色域に彩度圧縮が施され、グレーに近い低彩度の背景色域と肌色色域とが分離された後、肌色の色域より高彩度域を彩度圧縮するとともに、背景色域はムラや色付きがないように、人物の肌色の色域は色のりの良い色再現となるように色変換される。肌色の色域より高彩度域の彩度圧縮は、他の色相との色再現のバランスをとるために行われる。
【００５１】
なお、３Ｄ−ＬＵＴ２３２を、画像データに彩度圧縮を施すための３Ｄ−ＬＵＴ２３２ａと、彩度圧縮された画像データに対して色変換を施すための３Ｄ−ＬＵＴ２３２ｂの２つのＬＵＴよりなる構成とし、画像データに対して３Ｄ−ＬＵＴ２３２ａを用いて彩度圧縮した後、３Ｄ−ＬＵＴ２３２ｂを用いて色変換処理を行うようにしてもよい。
【００５２】
ここで、ＣＩＥ（国際照明委員会）で定められたＬ＊ａ＊ｂ＊表色系を用いて、肌色の色域とグレーに近い低彩度の背景色域について説明する。
図６に、ＣＩＥ（国際照明委員会）で定められたＬ＊ａ＊ｂ＊表色系を示す。図６において、Ｌ＊は、明度を表しており、０〜１００％の値で指定され、数値が大きいほど明るくなる。ａ＊、ｂ＊は、色度を表している。ａ＊は、緑とマゼンダの２色の混合比を表し、＋の方向になるほどマゼンダが強くなり、−の方向になるほど緑が強くなる。ｂ＊は、青と黄の２色の混合比を表し、＋の方向になるほど黄が強くなり、−の方向になるほど青が強くなる。彩度Ｃ＊は、〔数１〕で表される。
【数１】
2006109310.tif 000003
【００５３】
図７に、Ｌ＊ａ＊ｂ＊表色系における肌色の色域と、照明写真等の背景色である、グレーに近い低彩度の背景色域を示す。図７に示すように、肌色の色域は、ａ＊とｂ＊が何れも＋方向（赤黄色系の色相）でほぼ同じ値となる位置に分布しており、グレーに近い低彩度の背景色域は、ａ＊とｂ＊が何れも０付近に分布している。肌色の色域における無彩色に近い低彩度色域、即ち、ａ＊、ｂ＊がともに小さい色域（Ｃ＊＝１０付近）は、グレーに近い低彩度の背景色域と接近している。
【００５４】
撮像部１４における彩度再現が低く画像データの彩度が全体的に低いと、赤黄色系の色相の低彩度色域において、上述の背景色域と無彩色に近い肌色の色域との区別が困難となる。
【００５５】
また、撮像部１４により得られた画像データは、制御装置２の画像処理やプリンタ３における画像記録において処理可能な、規格化された所定形式のデータフォーマットにデータ圧縮されるが、デジタルの画像データは離散的数値で記録されるためデータ圧縮された時点で、撮像部１４により取得された情報の一部が欠落し、情報の正確さが失われる。
【００５６】
そのため、制御装置２で背景色域と肌色の色域に色変換処理を行っても、階調がとぶ、ノイズが増える、色のつながりが悪くなる等の現象があり、更に、背景色域と無彩色に近い肌色の色域の区別が困難なため、肌色の色域に対して行っている調整が背景色域にかかってしまい背景色がおかしくなったり、背景色に対して行っている調整により肌色の色域がその調整の影響を受けたりし、所望の色再現ができなくなってしまうという問題がある。
【００５７】
そこで、図４に示すカメラ側画像処理のステップＳ２における、３Ｄ−ＬＵＴ１３２を参照した変換により、カメラ１でデータ圧縮を行う前に、肌色の色域を含む赤黄色系の色相の彩度全体を強調することにより、撮像により得られた情報の一部が欠落する前に、背景色域と肌色の色域とを判別できるようにしておく。
【００５８】
制御装置２においては、図５に示す制御装置側画像処理のステップＳ１２における、３Ｄ−ＬＵＴ２３２を参照した変換により、カメラ１で赤黄色系の色相の彩度全体が強調された画像データのグレーに近い低彩度の背景色域を彩度圧縮し、背景色域と肌色の色域を分離してから色変換処理を施す。これにより、グレーに近い低彩度の背景色域が肌色色域に施している調整の影響を受けることなく、また、肌色色域は、背景色域に施している調整の影響を受けることなく、適正な、好ましい色再現を行うことができる。また、それぞれの色域に異なる色変換処理を施しても適正な処理結果を得ることができる。
【００５９】
図８に、上述のカメラ側及び制御装置側の画像処理による画像データの彩度Ｃ＊の変換特性を示す。図８の点線は、撮像部１４から取得されたオリジナルの画像データの彩度を再現する場合を示すものである。これに対し、図８の一点鎖線で示すように、図４のステップＳ２で彩度全体を強調し、更に図５のステップＳ１２でＣ＊＜１０に相当する色域を彩度圧縮し、更にＣ＊≧５０に相当する色域を彩度圧縮することで、図８の太線で示すように、肌色色域を彩度強調することができる。
【００６０】
これにより、図９に示すように、画像データの赤黄色系の色相におけるＣ＊＜１０（グレーに近い低彩度の背景色域）の点（ａ１、ｂ１）が（ａ´１、ｂ´１）に変換され、赤黄色系の色相におけるＣ＊≧１０（肌色色域）の点（ａ２、ｂ２）が（ａ´２、ｂ´２）に変換されるとすると、
【数２】
2006109310.tif 000004
という結果が得られ、図１０に示すように、グレーに近い低彩度の背景色域と肌色色域とを明確に分離することができ、各色域が、他方の色域に対する色変換の影響をうけることがなくなる。
【００６１】
以上説明したように、本発明に係る画像処理システム１００によれば、撮像部１４により取得された画像データ内における肌色の色域を含む赤黄色系の色相の彩度全体を強調し、次いで赤黄色系の色相のグレーに近い低彩度の背景色域を彩度圧縮することにより、グレーに近い低彩度の背景色域と肌色の色域を分離してから色変換処理を施す。
【００６２】
従って、背景グレーの色域と肌色の色域を、画像の解析を行うことなくＬＵＴを参照するだけの簡単な処理で高速に分離することができる。その結果、背景色域と顔画像の肌色のそれぞれが他方の色域に対する色変換の影響を受けることがなくなり、各色域に対する色変換を適正に行うことが可能となる。また、それぞれの色域に異なる色変換処理を施しても適正な処理結果を得ることができる。
【００６３】
なお、上記実施の形態における記述内容は、本発明に係る画像処理システム１００の好適な一例であり、これに限定されるものではない。
例えば、彩度強調は、上述した実施の形態で説明したようにカメラ１側で行うことが好ましいが、制御装置２側で行うようにしてもよい。
【００６４】
また、上記実施の形態においては、撮像部１４により取得された画像データ内における肌色の色域を含む赤黄色系の色相の彩度全体を強調し、肌色色域より高彩度の色域を彩度圧縮することとして説明したが、肌色の色域及びグレーに近い背景色域のみを彩度強調するようにしてもよい。
【００６５】
また、上記実施の形態においては、赤黄色系の色相について彩度全体を強調し、肌色色域より高彩度の色域を彩度圧縮することで、他の色相との色再現のバランスをとることとしたが、全色相において彩度全体を強調して色再現のバランスをとるようにしてもよい。
【００６６】
また、色変換後、彩度圧縮された背景色域をもとの彩度に戻すようにしてもよい。
【００６７】
その他、本実施の形態における画像処理システム１００の細部構成、及び細部動作に関しても、本発明の趣旨を逸脱することのない範囲で適宜変更可能である。
【図面の簡単な説明】
【００６８】
【図１】本発明に係る画像処理システム１００の全体構成を示す図である。
【図２】図１のカメラ１の機能的構成を示すブロック図である。
【図３】図１の制御装置２の機能的構成を示すブロック図である。
【図４】図２のＣＰＵ１１により実行されるカメラ側画像処理を示すフローチャートである。
【図５】図３のＣＰＵ２１により実行される制御装置側画像処理を示すフローチャートである。
【図６】ＣＩＥ（国際照明委員会）で定められたＬ＊ａ＊ｂ＊表色系を示す図である。
【図７】Ｌ＊ａ＊ｂ＊表色系における肌色の色域とグレーに近い低彩度の背景色域を示す図である。
【図８】画像処理システム１００における彩度の変換特性を示す図である。
【図９】Ｌ＊ａ＊ｂ＊表色系における赤黄色系の色相におけるＣ＊＜１０の点（ａ１、ｂ１）及びＣ＊≧１０の点（ａ２、ｂ２）と、それぞれを画像処理システム１００において処理した場合の変換後の点（ａ´１、ｂ´１）、（ａ´２、ｂ´２）とを比較するための図である。
【図１０】画像処理システム１００で彩度強調及び彩度圧縮を行った場合のグレーに近い低彩度の背景色域と肌色色域を示す図である。
【符号の説明】
【００６９】
１００  画像処理システム
１  カメラ
２  制御装置
３  プリンタ
１１、２１  ＣＰＵ
１２、２２  ＲＡＭ
１３、２３  ＲＯＭ
１３１  カメラ側画像処理プログラム
２３１  制御装置側画像処理プログラム
１３２、２３２  ３Ｄ−ＬＵＴ
２４  入力部
２５  表示部
２６  カメラ用Ｉ／Ｆ
２７  プリンタ用Ｉ／Ｆ
１６、２８  バス
【図１】
2006109310.tif 000005
【図２】
2006109310.tif 000006
【図３】
2006109310.tif 000007
【図４】
2006109310.tif 000008
【図５】
2006109310.tif 000009
【図６】
2006109310.tif 000010
【図７】
2006109310.tif 000011
【図８】
2006109310.tif 000012
【図９】
2006109310.tif 000013
【図１０】
2006109310.tif 000014